(57)【特許請求の範囲】
【請求項１】
データの書き換えが可能なディスク状記録媒体に形成されているデータ領域の最内周の領域であるＰＭＡにデータがあるかどうかを検出する第１のデータ検出ステップと、
上記第１のデータ検出ステップで上記ＰＭＡにデータがあることを検出した場合には、上記ディスク状記録媒体をデータが記録済みのデータ記録済みディスクであると認識する第１のディスク識別ステップと、
上記ＰＭＡにデータがないことを検出した場合には、上記ディスク状記録媒体に形成されているリードイン情報領域にデータがあるかどうかを検出する第２のデータ検出ステップと、
上記第２のデータ検出ステップで上記リードイン情報領域にデータがあることを検出した場合には、当該ディスク状記録媒体を、データを消去するデータ消去処理が中断された消去処理中断ディスクであると認識する第２のディスク識別ステップと、
上記第２のデータ検出ステップで上記リードイン情報領域にデータがないことを検出した場合には、上記ディスク状記録媒体に形成されているプログラム領域のＬＢＡにデータがあるかどうかを検出する第３のデータ検出ステップと、
上記第３のデータ検出ステップで、プログラム領域のＬＢＡにデータがあることを検出した場合には、当該ディスク状記録媒体を、データを消去するデータ消去処理が中断された消去処理中断ディスクであると認識する第３のディスク識別ステップと、
上記第３のデータ検出ステップで、上記プログラム領域のＬＢＡにデータがないことを検出した場合には、当該ディスク状記録媒体を、データを消去するデータ消去処理が完了した消去済みディスクであると認識する第４のディスク識別ステップと
を含む記録媒体の認識方法。
【請求項２】
上記第２のディスク識別ステップ又は上記第３のディスク識別ステップで、ディスク状記録媒体が、データを消去するデータ消去処理が中断された消去処理中断ディスクであると認識された場合に、上記ディスク状記録媒体に記録された書き込み済みのデータを消去するデータ消去ステップを
更に含む請求項１に記載の記録媒体の認識方法。
【請求項３】
データの書き換えが可能なディスク状記録媒体に形成されているデータ領域の最内周の領域であるＰＭＡにデータがあるかどうかを検出する第１のデータ検出手段と、
上記第１のデータ検出手段により上記ＰＭＡにデータがあることを検出した場合には、上記ディスク状記録媒体をデータが記録済みのデータ記録済みディスクであると認識する第１のディスク識別手段と、
上記第１のデータ検出手段により上記ＰＭＡにデータがないことを検出した場合には、上記ディスク状記録媒体に形成されているリードイン情報領域にデータがあるかどうかを検出する第２のデータ検出手段と、
上記第２のデータ検出手段により上記リードイン情報領域にデータがあることを検出した場合には、当該ディスク状記録媒体を、データを消去するデータ消去処理が中断された消去処理中断ディスクであると認識する第２のディスク識別手段と、
上記第２のデータ検出手段により上記リードイン情報領域にデータがないことを検出した場合には、上記ディスク状記録媒体に形成されているプログラム領域のＬＢＡにデータがあるかどうかを検出する第３のデータ検出手段と、
上記第３のデータ検出手段により上記プログラム領域のＬＢＡにデータがあることを検出した場合には、当該ディスク状記録媒体を、データを消去するデータ消去処理が中断された消去処理中断ディスクであると認識する第３のディスク識別手段と、
上記第３のデータ検出手段により上記プログラム領域のＬＢＡにデータがないことを検出した場合には、当該ディスク状記録媒体を、データを消去するデータ消去処理が完了した消去済みディスクであると認識する第４のディスク識別手段と
を備える記録媒体認識装置。
【請求項４】
上記第２のディスク識別手段又は上記第３のディスク識別手段により上記ディスク状記録媒体がデータを消去するデータ消去処理が中断された消去処理中断ディスクであると認識された場合に、上記ディスク状記録媒体に記録された書き込み済みのデータを消去するデータ消去手段を
更に備えた請求項３に記載の記録媒体認識装置。
【発明の詳細な説明】
【０００１】
【発明の属する技術分野】
本発明は、ディスク状記録媒体のデータ領域の記録状態を認識する記録媒体認識方法及び装置に関し、詳しくは、ディスク状記録媒体の所定の領域からデータを検出できるかどうかによりディスク状記録媒体のデータ領域の記録状態を認識する記録媒体認識方法及び装置。
【０００２】
【従来の技術】
ソニー株式会社とフィリップス株式会社は、１９８０年のＣＤ−ＤＡ（Compact Disk Digital Audio）に次いで、１９８３年にＣＤ−ＲＯＭ（ＣＤ Read Only Memory）を発表した。ＣＤ−ＲＯＭには、記憶容量が大きく、非接触でデータが読み出されるため摩耗及び損傷等がない利点がある。また、ＣＤ−ＲＯＭには、接触型の磁気テープ等の記録媒体と比べて、ヘッドクラッシュを起こすことがない利点もある。このようにＣＤ−ＲＯＭは、他のメディアと比べて優れた光ディスクである。
【０００３】
ここで、ＣＤ−ＤＡの規格書であるＲｅｄ Ｂｏｏｋについて述べる。Ｒｅｄ Ｂｏｏｋでは、光ディスク上に「リードイン（Lead In）情報領域」、「プログラム領域（Program Area）」及び「リードアウト（Lead Out）情報領域」というセグメントが形成されることを規定している。このリードイン情報からリードアウト情報までをＹｅｌｌｏｗ Ｂｏｏｋ（ＣＤ−ＲＯＭの規格書）では、セッションと呼んでいる。プログラム領域には、光ディスクの中でコンピュータデータ及びデジタルオーディオデータ（以下、データと呼ぶ。）が実際に含まれている。Ｒｅｄ Ｂｏｏｋでは、このデータを最高９９のトラックに分割することが可能で、各トラックの間に約２秒のギャップを入れることを規定している。リードインには、トラックのインデックス情報であるＴＯＣ（Table Of Contents）が含まれている。
【０００４】
ＣＤに関するすべての仕様では、データをセクタという単位に区切ってディスク上に配置するように決められている。１セクタのサイズは、２３５２ｂｙｔｅｓである。１セクタには、２０４８ｂｙｔｅｓのデータ領域と、セクタのヘッダ、サブヘッダ及びエラー検出コード等が含まれている。データ領域は、論理ブロックとしても扱われるが、通常は、２０４８ｂｙｔｅｓのユーザー領域として扱われる。各セッション内では、各論理ブロックに一連の論理的なアドレスが付けられている。光ディスクからデータを再生する装置は、この論理ブロック番号（ＬＢＮ、Logical Block Number）を使用して各セクタにアクセスする。
【０００５】
近年において、データの追記録が可能な光ディスクであるＣＤ−Ｒ（ＣＤ Recordable）及び書き換えが可能な光ディスクであるＣＤ−ＲＷ（ＣＤ Rewritable）が登場した。ＣＤ−Ｒは、記録層が有機系の光反応色素膜でできており、この記録層に高温のレーザ光を照射してデータの記録が行われる光ディスクである。ＣＤ−Ｒは、データを記録した後、新規なデータの追記録が可能であり、また、書き換えができないライトワンス（Write Once）方式であるため、物理データ・トラックが複数のセッションに分かれている、いわゆるマルチセッション追記記録によりデータが記録される。ＣＤ−ＲＷは、例えば、記録層がＡｇ−Ｉｎ−Ｓｂ−Ｔｅの相変化材料でできており、この記録層に高温のレーザ光を照射してデータの記録が行われる光ディスクである。ＣＤ−ＲＷは、具体的には、結晶質と非結晶質との物理的移転である相変化反応によりデータが記録されている。
【０００６】
また、ＣＤ−ＲＯＭ等の光ディスクでは、ディスクの内側から外側に向けて、連続的に螺旋状（スパイラル）にデータが記録される。このような記録方法をシーケンシャルライト方法と呼ぶ。シーケンシャルライト方法には、ＤＡＯ（Disk At Once）、ＴＡＯ（Track At Once）及びパケットライトがある。ＤＡＯは、ディスク一枚分のデータを一気に記録し、後でデータの追記録が不可能な記録方法である。ＴＡＯは、トラック単位でデータを記録し、後でデータの追記録が可能な記録方法である。パケットライトは、ＴＡＯのトラックより更に小さな単位でデータを記録することができ、後でデータの追記録が可能な記録方法である。ＴＡＯは、上述のＲｅｄ Ｂｏｏｋの規定により最大９９トラックまでしか記録できないが、パケットライトは、パケット数に制限がなく、使用上扱いやすい記録方法である。上述したシーケンシャルライト方式は、例えば、ＣＤ−Ｒにデータを記録する際の記録方式である。
【０００７】
また、ディスク全体に離散的にデータを記録するランダムライト方式いう記録方法がある。ランダムライト方式は、パケット毎にデータの書込みと消去とを可能にする記録方法である。ランダムライト方式によるデータの記録では、シーケンシャルライト方式によるデータの記録とは異なり、データを記録する際に使用する記録用ソフト、いわゆるライティングソフトを不要とする利点がある。一般的には、ＣＤ−ＲＷにデータを記録する際には、ランダムライト方式が採用されるが、シーケンシャルライト方式を採用してもよい。
【０００８】
ＣＤ−Ｒ及びＣＤ−ＲＷの再生及び／又は記録に関わる規格として、ＯＳＴＡ（Optical Storage Technology Association）は、上述のランダムライト方式でデータの記録を可能とするＵＤＦ（Universal Disk Format）ファイルシステムを策定した。
【０００９】
ここで、ＵＤＦについて説明する。ＵＤＦに準拠した光ディスクは、ＣＤ−Ｒ／ＲＷ Ｏｆｆｉｃｉａｌ Ｇｕｉｄｅ Ｂｏｏｋ（オレンジフォーラム著、（株）エクシード・プレス発行）に記載されているとおり、データの書き込みを行う際、パケットライティングを使用している。パケットライティングに使われるパケットには、固定長と可変長の２つのタイプがある。データが、例えば、ＣＤ−Ｒに書かれるとき、１つのパケットに対して、１つのリンクブロックと、４つのランインブロックと、１つのデータと、２つのランアウトブロックとの４つの異なるタイプの情報が連続してＣＤ−Ｒ上に記録される。また、固定長と可変長のパケットの違いは、データセグメント部が固定サイズか、可変サイズかという点での相違である。
【００１０】
ＵＤＦでは、ディレクトリ及びファイルの管理情報を実際の記録位置として直接管理する代わりに、ファイル識別子（ＦＩＤ、File Identifier Descriptor）、仮想割り当てテーブル（ＶＡＴ、Virtual Allocation Table）、ファイルエントリＩＣＢ（File Entry Information Control Block）等を用いて間接的に管理している。
【００１１】
ＶＡＴとは、シーケンシャルライト方式の光ディスクを仮想的にランダムリードライト方式の光ディスクのごとくに扱う技術であり、ファイルが実際に記録されている論理アドレスと、上記論理アドレスに対応する仮想アドレスとを対応テーブルとして管理するものである。
【００１２】
従って、ＵＤＦのファイルシステムでは、間接的にディレクトリ及びファイルの位置情報を参照している。ＶＡＴの位置は、パケット構造の中で自由に配置できるが、ＶＡＴを指し示している仮想割り当てテーブルＩＣＢ（ＶＡＴ ＩＣＢ）は、光ディスク上に記録されている最終セクタからリンキングエリア（Linking Area）分だけ戻ったところに必ず配置されるように決められている。リンキングエリアとは、隣接パケット間の７ブロックの接合領域のことである。
【００１３】
ＵＤＦに準拠したファイルシステムでは、ディスクの最終アドレス位置からリンキングエリアとして用意されている７ブロック分だけ戻った位置に、必ず最新のＶＡＴ ＩＣＢが記述されている。そのためＵＤＦでは、まず最初に、このＶＡＴ ＩＣＢが指し示すＶＡＴを読み込むことによって、仮想アドレスを実アドレスに変換することができる。
【００１４】
上述のようにデータを記録するファイルシステムの規格に基づいて、データ記録再生装置は、光ディスクの所定の場所からデータの記録を始める。したがって、光ディスクの所定の場所からデータを検出した場合には、データ記録再生装置は、上記光ディスクをデータ記録済みディスクと認識する。また、光ディスクの所定の場所からデータが検出できなかった場合には、データ記録再生装置は、上記光ディスクをデータ全消去済みディスクと認識する。
【００１５】
データ記録再生装置は、上述したとおり、ランダムライト方式又はシーケンシャルライト方式の一方を採用して書き換え可能な光ディスクに対してデータの記録及び消去を行う。ランダムライト方式を採用した場合には、データ記録再生装置は、データを記録するのに、光ディスクの複数の箇所の書き換えが必要なので、データを逐次的に高速度に記録することができない。また、シーケンシャルライト方式を採用した場合には、データ記録再生装置は、データを記録するのに、光ディスクの一カ所の書き換えで済むので、データを逐次的に高速度に記録することが可能である。したがって、データ記録再生装置は、データを逐次的に高速度に記録する場合には、シーケンシャルライト方式を採用する。
【００１６】
【発明が解決しようとする課題】
一方、シーケンシャルライト方式を採用したデータ記録再生装置は、データを消去する際、ディスク全周に渡ってデータ領域の最内周から最外周まで一気にシーケンシャルにデータの全消去を行う必要がある。このディスク全周に渡るデータの全消去には、多くの時間を要するので、データの全消去をしている最中に停電等により電源の供給が遮断されることがある。上述のようなことが起こると、光ディスクは、データ領域の最内周からある領域まではデータが消去され、ある領域から以降のデータが消去されずにそのまま残存した状態になる。上記光ディスクをデータの全消去が中断されたデータ全消去中断ディスクと呼ぶ。従来のデータ記録再生装置では、上記データ全消去中断ディスクをデータ全消去済みディスクであると認識することがある。
【００１７】
実際はデータ全消去中断ディスクであるのにデータ全消去済みディスクと認識された光ディスクは、データ記録再生装置により通常のデータ記録が行われる。データ記録再生装置は、上記光ディスクに新規データをシーケンシャルに記録し、上記新規データに対応した新規管理情報を記録する。このとき上記光ディスクに新管理情報より外周側に旧管理情報が残存している場合、以下の問題が生じる。
【００１８】
データ記録再生装置は、上記光ディスクの所定の場所からデータを検出するのでデータ記録済みディスクであると認識する。そして、データ記録再生装置は、上記光ディスクのデータ領域の最外側に記録されている旧管理情報を読み出す。したがって、データ記録再生装置は、旧管理情報よりも内周側にある新規管理情報を読み出せないので、新規データを再生することができない問題が生じる。
【００１９】
また、従来のデータ記録再生装置により光ディスクがデータ全消去中断ディスクであるかどうかを確認するには、ディスク全周に渡って検査をしなればならず、多くの時間を要する問題がある。
【００２０】
そこで、本発明は、上述したような実情に鑑みて提案されたものであり、所定のデータ領域にデータがあるかどうかによりディスク状記録媒体のデータ領域の記録状態を短時間で認識することを可能とする記録媒体認識方法及び装置を提供することを目的とする。
【００２１】
【課題を解決するための手段】
本発明に係る記録媒体の認識方法は、上述の課題を解決するために、データの書き換えが可能なディスク状記録媒体に形成されているデータ領域の最内周の領域であるＰＭＡにデータがあるかどうかを検出する第１のデータ検出ステップと、上記第１のデータ検出ステップで上記ＰＭＡにデータがあることを検出した場合には、上記ディスク状記録媒体をデータが記録済みのデータ記録済みディスクであると認識する第１のディスク識別ステップと、上記ＰＭＡにデータがないことを検出した場合には、上記ディスク状記録媒体に形成されているリードイン情報領域にデータがあるかどうかを検出する第２のデータ検出ステップと、上記第２のデータ検出ステップで上記リードイン情報領域にデータがあることを検出した場合には、当該ディスク状記録媒体を、データを消去するデータ消去処理が中断された消去処理中断ディスクであると認識する第２のディスク識別ステップと、上記第２のデータ検出ステップで上記リードイン情報領域にデータがないことを検出した場合には、上記ディスク状記録媒体に形成されているプログラム領域のＬＢＡにデータがあるかどうかを検出する第３のデータ検出ステップと、上記第３のデータ検出ステップで、プログラム領域のＬＢＡにデータがあることを検出した場合には、当該ディスク状記録媒体を、データを消去するデータ消去処理が中断された消去処理中断ディスクであると認識する第３のディスク識別ステップと、上記第３のデータ検出ステップで、上記プログラム領域のＬＢＡにデータがないことを検出した場合には、当該ディスク状記録媒体を、データを消去するデータ消去処理が完了した消去済みディスクであると認識する第４のディスク識別ステップとを含むことを特徴とする。
【００２４】
本発明に係る記録媒体認識装置は、上述の課題を解決するために、データの書き換えが可能なディスク状記録媒体に形成されているデータ領域の最内周の領域であるＰＭＡにデータがあるかどうかを検出する第１のデータ検出手段と、上記第１のデータ検出手段により上記ＰＭＡにデータがあることを検出した場合には、上記ディスク状記録媒体をデータが記録済みのデータ記録済みディスクであると認識する第１のディスク識別手段と、上記第１のデータ検出手段により上記ＰＭＡにデータがないことを検出した場合には、上記ディスク状記録媒体に形成されているリードイン情報領域にデータがあるかどうかを検出する第２のデータ検出手段と、上記第２のデータ検出手段により上記リードイン情報領域にデータがあることを検出した場合には、当該ディスク状記録媒体を、データを消去するデータ消去処理が中断された消去処理中断ディスクであると認識する第２のディスク識別手段と、上記第２のデータ検出手段により上記リードイン情報領域にデータがないことを検出した場合には、上記ディスク状記録媒体に形成されているプログラム領域のＬＢＡにデータがあるかどうかを検出する第３のデータ検出手段と、上記第３のデータ検出手段により上記プログラム領域のＬＢＡにデータがあることを検出した場合には、当該ディスク状記録媒体を、データを消去するデータ消去処理が中断された消去処理中断ディスクであると認識する第３のディスク識別手段と、上記第３のデータ検出手段により上記プログラム領域のＬＢＡにデータがないことを検出した場合には、当該ディスク状記録媒体を、データを消去するデータ消去処理が完了した消去済みディスクであると認識する第４のディスク識別手段とを備えることを特徴とする。
【００２５】
【発明の実施の形態】
以下、本発明の実施の形態について図面を参照しながら詳細に説明する。
【００２６】
本発明は、例えば図１に示すようなデータ記録再生装置１に適用される。
【００２７】
データ記録再生装置１は、ＯＰ（Optical Pickup）１０と、ＲＦ ＩＣ１１と、ＤＳＰ１２と、スピンドルドライバ１３と、スレッドドライバ１４と、フォーカスドライバ１５と、トラッキングドライバ１６と、スピンドルモータ１７と、スレッドモータ１８と、ＣＰＵ（Central Processing Unit）１９と、フラッシュＲＯＭ２０と、ＥＥＰＲＯＭ（Electrically Erasable Programmable Read Only Memory）２１と、カメラシステム部２２とを備え、光ディスク２３に対してデータの記録、再生及び消去を行う。また、ＤＳＰ１２と、ＣＰＵ１９と、フラッシュＲＯＭ２０と、カメラシステム部２２とは、バスＡを介して相互に信号の送信又は／及び受信を行う。ＲＦ ＩＣ１１とカメラシステム部２２とはバスＢを介して相互に信号の送信又は／及び受信を行う。バスＡは、メインバスであり、バスＢは、シリアルバスである。
【００２８】
ＯＰ部１０は、ＲＦ ＩＣ１１と、ＤＳＰ１２と、フォーカスドライバ１５と、トラッキングドライバ１６とに接続されている。ＯＰ部１０は、対物レンズと、レーザダイオードと、レーザダイオードドライバ（ＬＤ Driver）と、フォトディテクトＩＣ（ＰＤＩＣ）と、ハーフミラー等を備えており、光信号を検出してＲＦ ＩＣ１１に供給する。また、ＯＰ部１０は、光ディスク２３にデータを記録する際、ピット形成に必要なレーザの点滅・駆動信号及びレーザ強度と明滅の最適値を示すライトストラテジ信号等がＤＳＰ１２により供給される。また、ＯＰ部１０は、フォーカスドライバ１５及びトラッキングドライバ１６により制御される。
【００２９】
ＲＦ ＩＣ１１は、ＤＳＰとカメラシステム部２２とに接続されている。ＲＦ ＩＣ１１は、ＯＰ部１０から検出されたビームシグナル、サイド及びメインからなる８系統の信号を、サンプリング及びホールド等の演算処理を行い、８系統の信号のうち所定の信号からフォーカスエラー（ＦＥ、Focus Error）信号、トラッキングエラー（ＴＥ、Tracking Error）信号、ミラー（ＭＩＲＲ、Mirror）信号、ＡＴＩＰ（Absolute Time In Pregroove）信号及び読み出しメイン信号等の信号を生成する。ＡＴＩＰ信号は、データ記録時のアドレス情報、記録時の回転サーボ用の同期信号、各種制御信号として使用される。ＲＦ ＩＣ１１は、生成した信号のうち、ＦＭＤＴ（Frequency Modulation Data）信号、ＦＭＣＫ（Frequency Modulation Clock）信号、ＦＥ信号及びＴＥ信号をＤＳＰ１２に供給し、試し書きにより検出したレーザ強度の最適値（ＯＰＣ、Optical Power Calibration）信号及びレーザ点滅・駆動信号をＤＳＰ１２に供給する。
【００３０】
ＤＳＰ１２は、スピンドルドライバ１３と、スレッドドライバ１４と、フォーカスドライバ１５と、トラッキングドライバ１６とに接続されており、ＣＰＵ１９により制御されている。ＤＳＰ１２は、ＲＦ ＩＣ１１からＦＭＤＴ信号、ＦＭＣＫ信号、ＴＥ信号及びＦＥ信号が入力され、ＣＰＵ１９により制御されて各種のサーボを制御するサーボ制御信号を生成する。ＤＳＰ１２は、生成したサーボ制御信号からアナログ信号を生成し、上記アナログ信号をスピンドルドライバ１３、スレッドドライバ１４、フォーカスドライバ１５及びトラッキングドライバ１６に供給する。
【００３１】
また、ＤＳＰ１２は、ＲＦ ＩＣ１１からＯＰＣが供給され、ＣＩＲＣ（Cross Interleaved Reed-Solomon Code）デコード及びエンコード、ライトストラテジ及びＡＤＤｒデコード等の処理を行う。ＤＳＰ１２は、光ディスク２３にデータの記録を行う際、レーザの点滅・駆動信号及びレーザ強度の最適値を示す信号をＯＰ部１０に供給する。
【００３２】
スピンドルドライバ１３は、スピンドルモータ１７に接続されており、ＤＳＰ１２から供給される信号に基づいてスピンドルモータ１７の回転を制御する。スレッドドライバ１４は、スレッドモータ１８に接続されており、ＤＳＰ１２から供給される信号に基づいてスレッドモータ１８のスレッド動作を制御する。フォーカスドライバ１５は、ＤＳＰ１２から供給される信号に基づき、ＯＰ部１０を光ディスク２３に対して垂直方向に移動させ、ビームの焦点位置を制御する。トラッキングドライバ１６は、ＤＳＰ１２から供給される信号に基づいてＯＰ部１０を揺動し、光ディスク２３に照射されるビームスポットの位置を制御する。
【００３３】
スピンドルモータ１７は、スピンドルドライバ１３から供給される信号に基づいて光ディスク２３を回転する。スレッドモータ１８は、スレッドドライバ１４から供給される信号に基づいてＯＰ部１０のスレッド動作を行う。
【００３４】
ＣＰＵ１９は、バスＡを介して、ＤＳＰ１２と、画像信号演算処理部１８とを制御する。フラッシュＲＯＭ２０には、光ディスク２３に記録されているデータの処理を行うためのプログラムが格納されている。ＥＥＰＲＯＭ２１には、ＯＰ部１０等の調整データが格納されている。
【００３５】
カメラシステム部２２は、図示しない撮影部及び画像信号演算処理部等を備えている。撮影部は、被写体を取り込むレンズ部と、ＣＣＤと、Ｓ／Ｈ回路部と、Ａ／Ｄ変換器とを備えている。ＣＣＤは、レンズ部から供給された被写体の画像から画像信号を生成し、生成した画像信号をＳ／Ｈ回路部に供給する。Ｓ／Ｈ回路部は、上記画像信号をサンプリング及びホールド等の演算処理を行い、Ａ／Ｄ変換器に供給する。Ａ／Ｄ変換器は、上記画像信号をデジタル画像信号に変換し、画像信号演算処理部に供給する。画像信号演算処理部は、撮影部から供給されたデジタル画像信号に対して、ＲＧＢ信号から色差・輝度信号への色基準形変換、ホワイトバランス、ガンマ補正及び縮小画像処理等の画像処理を行う。処理されたデジタル画像信号はモニタに供給され、表示される。
【００３６】
光ディスク２３は、データの記録、再生、消去及び追記録される書き換え可能なＣＤ−ＲＷ等の記録媒体である。光ディスク２３には、図２（ａ）に示すとおり、ＰＭＡ（Program Management Area）、リードイン情報領域、プログラム領域及びリードアウト情報領域がデータ領域にセッション化されている。
【００３７】
上述のようにデータ記録再生装置１によりデータが記録されている光ディスク２３のデータを全消去するディスク全消去処理について以下に述べる。
【００３８】
データ記録再生装置１は、光ディスク２３のデータ領域の内側から外側に向けて、連続的に螺旋状（スパイラル）にデータを記録するシーケンシャルライト方式を採用する。データ記録再生装置１は、図２（ｂ）に示すとおり、光ディスク２３のプログラム領域の所定の場所からデータを記録し始め、上記データのインデックス情報であるＴＯＣ（Table Of Contents）をＰＭＡに記録する。上記所定の場所は、例えばＬＢＡ（Logical Blank Address）５１２とする。なお、ＰＭＡに記録されるＴＯＣは、暫定ＴＯＣであり、光ディスク２３にファイナライズ処理を施した際、上記暫定ＴＯＣを正式のＴＯＣとしてリードイン情報領域に書き込む。
【００３９】
ここで、ファイナライズ処理について説明する。データがＵＤＦファイルフォーマットで記録されている光ディスクのデータは、一般的なパーソナルコンピュータ（ＰＣ、Personal Computer）で再生をすることができない。それは、ＰＣが、ＵＤＦファイルフォーマットをサポートしていないためである。そこで、ＵＤＦファイルフォーマットされている光ディスクをＰＣで再生できるようにするために、ＰＣがサポートしているＩＳＯ  ９６６０等のファイルフォーマットに光ディスクのファイルフォーマットを変換する必要がある。この変換作業をファイナライズ処理という。
【００４０】
したがって、光ディスク２３は、データ記録再生装置１によりデータが記録され、ファイナライズ処理が施されなければ、図２（ｂ）に示すとおり、ＰＭＡとプログラム領域のＬＢＡ５１２以降の領域にデータが記録され、ファイナライズ処理が施されれば、図２（ｃ）に示すとおり、ＰＭＡ、リードイン情報領域、プログラム領域のＬＢＡ５１２以降の領域及びリードアウト情報領域にデータが記録される。なお、リードアウト情報領域に記録されるデータは、プログラム領域に記録されるデータの最後に記録されるようにしてもよい。この場合は、データ領域にリードアウト情報領域を形成しないこととする。
【００４１】
上述のようにデータ記録再生装置１によりデータが記録されている光ディスク２３のデータを全消去するディスク全消去処理について図３のフローチャートを用いて以下に述べる。
【００４２】
ステップＳＴ１において、データ記録再生装置１は、光ディスク２３のデータ領域の最内周の領域であるＰＭＡからプログラム領域のＬＢＡ５１２の直前のＬＢＡであるＬＢＡ５１１の領域までのデータを消去する。
【００４３】
ステップＳＴ２において、データ記録再生装置１は、光ディスク２３のプログラム領域のＬＢＡ５２９の領域からデータ領域の最外周の領域までのデータを消去する。
【００４４】
ステップＳＴ３において、データ記録再生装置１は、ＬＢＡ５１２の領域からＬＢＡ５２８の領域までのデータを消去する。
【００４５】
なお、本例のデータ記録再生装置１に採用されているＵＤＦファイルフォーマットでは、ＬＢＡ５１２を記録開始アドレスとし、ＬＢＡ５１２から外周に向かってデータをシーケンシャルに記録することとしている。本例では、上述のＵＤＦファイルフォーマットに応じて、ステップＳＴ１におけるデータの消去範囲をＰＭＡからＬＢＡ５１１の領域までとし、ステップＳＴ３におけるデータの消去開始位置をＬＢＡ５１２の領域とした。ステップＳＴ１のデータの消去範囲とステップＳＴ３のデータの消去開始位置は、本例に限定されることなく、ＵＤＦファイルーマットにより規定される記録開始アドレスに依存することとする。また、ステップＳＴ２におけるデータの消去開始位置のＬＢＡ及び、ステップＳＴ３におけるデータの消去終了位置のＬＢＡは、データの長さが最短の場合のデータ記録範囲の終了位置のＬＢＡであれば、本例以外のＬＢＡでもよいこととする。
【００４６】
次に、上述のディスク全消去処理によりデータの消去を行った光ディスク２３のデータ領域の記録状態を認識するディスク認識処理について図４のフローチャートを用いて以下に述べる。
【００４７】
ステップＳＴ４において、データ記録再生装置１は、光ディスク２３のＰＭＡからデータの検出を行う。光ディスク２３のＰＭＡからデータを検出できた場合、ステップＳＴ５に進み、光ディスク２３のＰＭＡからデータを検出できなかった場合、ステップＳＴ６に進む。
【００４８】
ステップＳＴ５において、データ記録再生装置１は、光ディスク２３をデータが記録されているデータ記録済みディスクであると認識する。なお、データ記録済みディスクは、例えば図５（ａ）に示すとおり、データ領域にデータが記録されている状態である。
【００４９】
ステップＳＴ６において、データ記録再生装置１は、光ディスク２３のリードイン情報領域からデータの検出を行う。光ディスク２３のリードイン情報領域からデータを検出できた場合、ステップＳＴ８に進み、光ディスク２３のリードイン情報領域からデータを検出できなかった場合、ステップＳＴ７に進む。
【００５０】
ステップＳＴ７において、データ記録再生装置１は、光ディスク２３のプログラム領域のＬＢＡ５１２からデータの検出を行う。光ディスク２３のプログラム領域のＬＢＡ５１２からデータの検出ができた場合、ステップＳＴ８に進み、光ディスク２３のプログラム領域のＬＢＡ５１２からデータの検出ができなかった場合、ステップＳＴ９に進む。
【００５１】
ステップＳＴ８において、データ記録再生装置１は、光ディスク２３をデータの全消去が中断されたデータ全消去中断ディスクであると認識する。なお、データ全消去中断ディスクは、例えば図５（ｂ）に示すとおり、データの全消去が中断された状態である。
【００５２】
ステップＳＴ９において、データ記録再生装置１は、光ディスク２３をデータの全消去が完了したデータ全消去済みディスクであると認識する。なお、データ全消去中断ディスクは、例えば図５（ｃ）に示すとおり、データが全消去された状態である。
【００５３】
データ記録再生装置１は、ステップＳＴ８により光ディスク２３がデータ全消去中断ディスクであると認識した場合、自動的にデータの全消去処理を行ってもよい。
【００５４】
このように構成されたデータ記録再生装置１は、光ディスク２３に記録されているデータを消去する際、プログラム領域のＬＢＡ５１２からＬＢＡ５２８までの領域を残し、ＬＢＡ５１２より内周側のデータを消去し、次にＬＢＡ５２８より外周側のデータを消去して、最後にＬＢＡ５１２からＬＢＡ５２８を消去するデータ全消去処理を行うことができる。
【００５５】
また、データ記録再生装置１は、光ディスク２３のデータ領域にあるＰＭＡ、リードイン情報領域及びプログラム領域のＬＢＡ５１２からデータの検出を行えるかどうかにより上記光ディスク２３のデータ領域の記録状態を認識できるので、上述のデータ全消去処理が途中で中断されたディスクをデータ全消去中断ディスクであると短時間で認識することができる。
【００５６】
【発明の効果】
以上詳細に説明したように、本発明に係るデータ消去方法は、データの書き換え可能なディスク状記録媒体のデータ領域の所定の場所より内周側のデータを消去し、上記所定の場所より外周側のデータを消去し、最後に上記所定の場所を消去して上記ディスク状記録媒体のデータの全消去を行うので、データの全消去中に停電等により電源が遮断されデータの全消去が中断されても、データの消去がどの段階で中断されたのかを認識できる消去を行うことを可能とする。
【００５７】
本発明に係るデータ消去装置は、制御手段により、ディスク状記録媒体に記録されているデータをデータ領域の所定の場所より内周側を消去し、上記所定の場所より外周側を消去し、最後に所定の場所を消去する消去手段を制御するので、データの全消去中に停電等により電源が遮断されデータの全消去が中断されても、データの消去がどの段階で中断されたのかを認識できる消去を行うことを可能とする。
【００５８】
本発明に係る記録媒体認識方法は、データの書き換え可能なディスク状記録媒体に形成されている第１のデータ領域と第２のデータ領域とからデータを検出することができるかどうかにより、上記ディスク状記録媒体のデータ領域の記録状態を認識するので、短時間に上記ディスク状記録媒体が、データ記録済みディスクであるか、データ全消去済みディスクであるか、データ全消去中断ディスクであるかを認識することを可能とする。
【００５９】
本発明に係る記録媒体認識装置は、検出手段によりデータの書き換えが可能なディスク状記録媒体に形成されている第１のデータ領域と第２のデータ領域とからデータがあるかどうかを検出し、認識手段により上記検出手段の検出結果から上記ディスク状記録媒体のデータ領域の記録状態を認識するので、短時間に上記ディスク状記録媒体が、データ記録済みディスクであるか、データ全消去済みディスクであるか、データ全消去中断ディスクであるかを認識することを可能とする。
【図面の簡単な説明】
【図１】本発明を適用したデータ記録再生装置の構成を示す図である。
【図２】本発明を適用したデータ記録再生装置によりデータが記録される光ディスクのデータ領域の模式図である。
【図３】本発明を適用したデータ記録再生装置により光ディスクのデータ領域にあるデータの全消去処理を示すフローチャートである。
【図４】本発明を適用したデータ記録再生装置により光ディスクのデータ領域の記録状態を認識するディスク認識処理を示すフローチャートである。
【図５】光ディスクのデータ領域に記録されているデータ領域の記録状態を示す模式図である。
【符号の説明】
１  データ記録再生装置、１０  ＯＰ、１１  ＲＦ ＩＣ、１２  ＤＳＰ、１３  スピンドルドライバ、１４  スレッドドライバ、１５  フォーカスドライバ、１６  トラッキングドライバ、１７  スピンドルモータ、１８  スレッドモータ、１９  ＣＰＵ、２０  フラッシュＲＯＭ、２１  ＥＥＰＲＯＭ、２２  カメラシステム、２３  光ディスク
【図１】
0004461635.tif 000002
【図２】
0004461635.tif 000003
【図３】
0004461635.tif 000004
【図４】
0004461635.tif 000005
【図５】
0004461635.tif 000006